(57)【要約】      （修正有）【課題】構造物工作用パイプのヒンジ兼用継手に閉位置復帰やその他の回転制御機能を付加する。安価、調整容易、機能変更・追加容易に機能付加する。【解決手段】ヒンジ兼用継手３の摺動部に回転制御機能を担う第一の部品１を一体に成形する。あるいは一体に組み合わせ可能にするための嵌合用凹凸を継手３と第一の部品１に共通に設ける。さらに第二の部品２を回転軸パイプ５に取り付ける位相固定部品４も同様に一体成型または一体化のための嵌合用凹凸を設ける。【選択図】図２
2019095024.tif 000002
【特許請求の範囲】
【請求項１】
パイプ組立部材用の部品であって軸パイプに対してスライド可能かつ回転可能に同軸的に配置される第一の部品と、前記軸パイプに実質的に回転・スライド不可能で前記第一の部品に対向して配置される第二の部品からなり、
前記第一の部品は前記パイプ軸に対して傾斜する第一の斜面を少なくとも一つ有し、前記第二の部品の前記第一の部品に対向する面は前記第一の斜面と略双補形状をなす第二の斜面とされており、
かつ前記第一の部品と前記第二の部品の一方は付勢手段によって前記第一の部品と前記第二の部品の他方に押圧されるパイプ組立部材用部品。
【請求項２】
前記第一の部品又は前記第二の部品は、前記第一の斜面および第二の斜面を覆うカバー部を有することを特徴とする請求項１に記載のパイプ組立部材用部品
【請求項３】
前記付勢手段は第一の部品に働く重力である、請求項１または２に記載のパイプ組立部材用部品
【請求項４】
前記第一の斜面と第二の斜面の一方はその頂部が平面又は凹面とされた係止面とされ、前記第一の斜面と第二の斜面の他方はその頂部が前記係止面に前記付勢手段押圧力に対向して係止可能な被係止面とされている前記請求項１または２または３に記載のパイプ組立部材用部品
【発明の詳細な説明】
【技術分野】
【０００１】
本件発明は、自動車・家電などの製造業、倉庫・物流業等で部品／製品の一時保管ラックや台車、作業台を製作する工作材料として、また一般家庭などで簡易パーティションや棚などを作る工作材料として使用されているパイプ組立部材の部品に関する          
【背景技術】
【０００２】
無垢の金属パイプ又はこれに樹脂コーティングを施した、外径約２８ｍｍ〜４５ｍｍのパイプや金属または樹脂製のパイプ継手など（これら一群の製品を総称して以下パイプ製品と表記する）が一般家庭向けの工作材料としてホームセンターなどで販売されている。さらに同じパイプ製品が自動車・家電その他の製造業や、倉庫・物流業の分野でも広く使われている。
複数のメーカーから販売されているこれらのパイプ製品は、たとえば藤棚や机、ベンチや台車、在庫棚、パーティションといった構造体を組み立てる構造物工作の材料であり、購入者それぞれの発想・設計で様々なものを作り、また改造や分解再組立・リユースが容易であることが工作材商品としての特徴であり多くのユーザーを得ている。
特に近年、固定的な構造物ではなく、「からくり」と称して形態を変化させる、動きのある構造物を生産活動などの補助具として製作する場合にパイプ製品がよく使われるようになっており、パイプ自体を回転軸としてヒンジの役割をする金属製回転継手が相次いで発売されている。また本来接着材によりパイプ同士を接続する樹脂製パイプ継手の一部を接着せずに、取り付けたパイプ構造部分に対し回転や軸方向へのスライドをさせる流用的利用法も一般的になっている。
【先行技術文献】
【特許文献】
【０００３】
【特許文献１】特開２００６−００８０２３
【特許文献２】実開平０７−０３８０１３
【特許文献３】特開２００４−３４６７１９
【特許文献４】特開２０００−１２０３２２
【特許文献５】特開２０００−０１７９４０
【発明の概要】
【発明が解決しようとする課題】
【０００４】
本件発明は、上述のパイプ継手のヒンジ機能に閉（開）位置自動復帰、開（閉）位置一時係止、逆転防止、ラチェット機能といった回転制御機能（以下回転制御機能と総称して表記する）を着脱・交換容易に付加することにある。
【課題を解決するための手段】
【０００５】
上記課題を解決するため、本発明は軸パイプ５に対してスライド可能かつ回転可能に同軸的に配置される第一の部品１と、前記軸パイプ５に実質的に回転・スライド不可能で前記第一の部品１に対向して配置される第二の部品２からなり、前記第一の部品１は前記パイプ軸に対して傾斜する第一の斜面１Ａを少なくとも一つ有し、前記第二の部品の前記第一の部品に対向する面は前記第一の斜面１Ａと略双補形状をなす第二の斜面２Ａとされており、
かつ前記第一の部品１と前記第二の部品２の一方は付勢手段によって前記第一の部品１と前記第二の部品２の他方に押圧されるパイプ組立部材用部品を要旨とする。
【発明の効果】
【０００６】
本発明では、押圧力に抗して第一の部品１を回動させても、第一の部品１への回動させる力を無くすると、第一の部品１は押圧力と第一・第二の斜面１Ａ・２Ａにより元の状態に戻る。
また第一・第二の斜面１Ａ・２Ａの形状設計を変更することにより、設計された任意の角度での一時係止機能を付加したり、自動復帰機能に替えて逆転防止機能（１方向回転）機能に用途変更することができる。
【図面の簡単な説明】
【０００７】
【図１】本件発明をスィングドアに適用した第一の実施例。
【図２】第一の実施例の要部分解図。
【図３−１】第一実施例に適用可能な第一の変形例の斜面の展開図。
【図３−２】上記図３−１の第一・第二の斜面が±９０°の一時係止位置にある図。
【図４−１】第一実施例に適用可能な第二の変形例の斜面の展開図。
【図４−２】上記図４−１の第一・第二の斜面が−９０°の一時係止位置にある図。
【図５】本件発明を回転扉に適用した第二実施例。
【図６】第二実施例で使用した斜面の展開図。
【図７−１】本件発明の第三実施例を示す図
【図７−２】第３実施例の断面構造を示す図
【図８−１】本件発明の第四実施例を示す図
【図８−２】本件発明の第四実施例の適用例を示す図
【図８−３】本件発明の第四実施例の変形例を示す図
【発明を実施するための形態】
【０００８】
【第一実施例】
【０００９】
図１は本発明を応用し、ベビーゲート（ペットゲート）としてスィングドアを組み立てた例である。
本実施例では壁面に固定された軸パイプ５に回転可能なドア１１が取り付けられている。軸パイプ５の２ヶ所には図２に示すように固定部品４が回動・スライド不能に固定されている。
固定部品４の上部には第二の部品２がその下部が固定部品４の上部凹凸とかみ合うように軸パイプ５に挿入され、このかみ合いと重力により実質的に軸パイプ５に対して、回動・スライド不能に配置されている。
ドアの一部であるパイプ継手３がスライド・回動可能にパイプに挿入されており、継手３と第二の部品２との間には、第一の部品１がパイプに対し回動・スライド可能に挿入されている。第一の部品１の上部と継手３の下部は凹凸の係合によりかみ合い、パイプ継手３に対し第一の部品１は相対的に回動不能とされている。
これにより軸パイプ５に対してスライド・回動不能な第二の部品２とスライド・回動可能な第一の部品１が対向して配置される。第一の部品１と第二の部品２は互いに略相補的なＶ型斜面１Ａ・２Ａを二つづつ有する。
なお図１には第一・第二の部品１・２と固定部品４が部品セット１０として現わされている。
ドア１１を閉じた状態（第一・第二の斜面１Ａ・２Ａが当接した状態）から、ドアを開ける（回動させる）と第一の部品１はドア１１とともに上方にスライドする。その状態でドア１１を放すとドア１１の重力により第一の部品１は第二の部品２に押圧される。この時斜面１Ａは斜面２Ａ上を摺動し第一の部品１はドア１１とともに回動しながら下方にスライドする。これによりドア１１は閉じた状態に戻る。
図２において継手３は樹脂製継手が図示されているが、金属製回転継手を
第一・第二の部品と固定可能にした、あるいは一体化したものを適用しても良い
【第一実施例の変形例一】
【００１０】
図３−１および３−２に第一実施例の斜面の変形例一を示す。この例は第二の斜面２Ｂの頂部に凹部２Ｂ２を設け、第一の斜面１Ｂの頂部に凹部２Ｂ２とかみ合う凸部１Ｂ１を設け、これにより９０°回転した状態を維持することを可能としたものである。
また第二の斜面２Ｂの底部に他より傾斜の緩やかな制動斜面２Ｂ１を設け復帰時のドアの最終回軸速度を落とすようにしたものである。
第一実施例では両斜面１Ａ・２Ａはほぼ完全に一致する相補形状としたが
本変形例では若干の間隙を有する略相補形状となっている。
【第一実施例の変形例二】
【００１１】
図４−１および４−２に第一実施例の斜面の変形例二を示す。図３の変形例にドアの回動角度の制限を持たせたものである。凸部１Ｃ１・凹部２Ｃ２、制動斜面２Ｃ１は先の変形例一と同一の機能を発揮するものであり、説明を略す。第一の斜面１Ｃと第二の斜面２Ｃはその斜面中に直交面１Ｃ３・２Ｃ３、１Ｃ４・２Ｃ４をそれぞれ有する。第一の部品１を回動させたとき、１Ｃ３・２Ｃ３が当接した状態で回動不能となるためそれ以上回動できない。
また復帰させたとき復帰位置を超えてオーバランしても約１０°で１Ｃ４・２Ｃ４が当接し停止後復帰位置に戻る。また逆方向に回動させようとしても約１０°で回動不能となり、０〜−９０°の範囲で回動するスィングドアとなる。
【００１２】
【第二実施例】
【００１３】
図５は本発明をイベント会場等に使用される一方通行の回転ドアに適用した第二実施例を示す。
回転ドア１１は軸パイプ５の周囲に４つの四角状のパイプ組立体を、上下２段に十字状に固定したものである。固定パイプ組立体１２はフェンスとして床面に固定されており、その前端に３つのパイプ継手３が固定されており、軸パイプ５はこの３つのパイプ継手３に回動・スライド可能に挿入されている。
第二実施例では第一実施例の部品セット１０が第一実施例とは逆順に配置されている。すなわち下から第一の部品１、第二の部品２、固定部品が配置されている。
第二実施例に使用した第一・第二の部品１・２の斜面１Ｄ・２Ｄの展開図を図６に示す。第一実施例では第一・第二の部品１・２端面を等しい山形の斜面１Ａ・２Ａ各２面で構成したが本実施例では各４面で構成している。更に各斜面１Ｄ・２Ｄには逆転防止面１Ｄ１・２Ｄ１が設けられている。
本実施例の動作を以下に説明する。
ドア１１がイベントの退場者により初期状態（回転角０°）から回転させられるとドア１１と一体になった軸パイプ５、固定部品４、第二の部品２も回転しつつ斜面１Ｄにより上方に持ち上げられる。４５°を越えて回転すると、自重により自ら斜面１Ｄを下りながら回転し９０°の位置で停止する。そしてこの位置では逆転防止面１Ｄ１・２Ｄ１が互いに係合し逆転を防止する。従って一旦退場した者が不正に再入場することを防止できる。
【００１４】
【第三実施例】
【００１５】
図７−１に第三実施例の第一・第二の部品１・２を示す。この実施例では第一の部品１に斜面カバー６が設けられている。斜面カバー６は第一・第二の斜面１Ａ・２Ａの相対回転により、両斜面１Ａ・２Ａの間にできる間隙Ｓを覆うものである。これにより両部品１・２が自重等で近接方向に向かうとき、指や衣服等が間隙Ｓに挟まれるのを防止している。
斜面カバー６は第二の部品２に設けても良い。
図７−２は斜面カバー６の断面を示す図である。カバー内部に第一の斜面１Ａが一体に形成されている。
【００１６】
なお各実施例では第一・第二の部品１・２をパイプ継手３や固定部品４と別体としたが、これらを一体として第一・第二の部品としても良い。
【００１７】
【第四実施例】
【００１８】
図８−１に第四実施例の第一の部品１、嵌合アダプタ１２、パイプ継手３を示す。
本実施例は既存汎用の各種継手を利用した本発明の実施例を示すもので、汎用のＬ型継手３の筒部を受け入れ可能な内径を有する嵌合アダプタ１２を介して第一の部品１を継手３に接続するものである。嵌合アダプタ１２は継手３と嵌合または接着等により固定する固定部１２Ａと、第一の部品１を相対回転不能に嵌合されるセレーション１４とを有する。この実施例では第一の部品１の内周面にもセレーション１Ｅが必要である。固定部１２Ａには既存五方継手などにも適用可能なように、４か所にリブ３１を受け入れるスリット１３が設けられている。既存継手の代表例を図８−２に示す。
セレーション１４および１Ｅによる嵌合の利点は溝一本単位の嵌め替えによ
る細かな位相角度調整が可能になる事である。また図８−３に示すようにアダプタ１２と第一の部品１を一体化して制作してもよい。
本実施例では第一の部品１について説明したがこれを第２の部品に適用してもよい。更に既存継手の一端部に斜面１Ａ・２Ａを設け第一・第二の部品として使用してもよい
【００１９】
図２において、ヒンジ兼用パイプ継手３は２本のパイプをＴの字型に接続す    るＴ型継手が用いられているが、Ｌ型継手を使用することも可能である。
また図２において軸パイプ５に対しＴ（Ｌ）型継手を可動（扉側）としている
が、この図を倒立させてみて、ヒンジ兼用パイプ継手３を固定側（パイプ柵など）
とし、第二の部品、固定部品４、回転軸パイプ５の組を可動側（扉など）と
することも可能である。図５がこれに当たる。
更にＴ型・Ｌ型継手３と第一の部品を一体にすることも、第二の部品２と
固定部品４を一体にする事も回転制御機能を得る意味では同等の効果を得られ
る。但し第一・第二の部品１・２の脱着・交換しやすさは損なわれる。
【産業上の利用可能性】
【００２０】
既に社会に広く行き渡っているパイプ製品の使用方法の一つであるヒンジ機能に、更に回転制御機能を付け加えたものであり、パイプ製品の用途を広げ
るものである
【符号の説明】
【００２１】
１：第一の部品    
２：第二の部品  
３：パイプ継手
４：固定部品
５：回転軸兼用パイプ（軸パイプ）
１Ａ：第一の斜面
２Ａ：第二の斜面
６：斜面カバー
１０：１、２、４の部品セット
１１：ドア（扉体）
Ｓ：間隙（第一・第二の斜面１Ａ・２Ａ間に生ずる）
１Ｂ：第一の斜面（第一実施例の変形例１）
２Ｂ：第二の斜面（第一実施例の変形例１）
１Ｂ１：第一の斜面の凸部（第一実施例の変形例１）
２Ｂ１：第二の斜面の制動斜面（第一実施例の変形例１）
２Ｂ２：第二の斜面の凹部（第一実施例の変形例１）
１Ｃ：第一の斜面（第一実施例の変形例２）
２Ｃ：第二の斜面（第一実施例の変形例２）
１Ｃ１：第一の斜面の凸部（第一実施例の変形例２）
１Ｃ３：第一の斜面の直立部（第一実施例の変形例２）
１Ｃ４：第一の斜面の直立部（第一実施例の変形例２）
２Ｃ１：第二の斜面の制動斜面（第一実施例の変形例２）
２Ｃ２：第二の斜面の凹部（第一実施例の変形例２）
２Ｃ３：第二の斜面の直立部（第一実施例の変形例２）
２Ｃ４：第二の斜面の直立部（第一実施例の変形例２）
１Ｄ：第一の斜面（第二実施例）
２Ｄ：第二の斜面（第二実施例）
１Ｄ１：第一の斜面の逆転防止面（第二実施例）
２Ｄ１：第二の斜面の逆転防止面（第二実施例）
１２：嵌合アダプタ
１２Ａ：嵌合部
１３：スリット
１４：セレーション
１Ｅ：セレーション
３１：リブ
【図１】
2019095024.tif 000003
【図２】
2019095024.tif 000004
【図３−１】
2019095024.tif 000005
【図３−２】
2019095024.tif 000006
【図４−１】
2019095024.tif 000007
【図４−２】
2019095024.tif 000008
【図５】
2019095024.tif 000009
【図６】
2019095024.tif 000010
【図７−１】
2019095024.tif 000011
【図７−２】
2019095024.tif 000012
【図８−１】
2019095024.tif 000013
【図８−２】
2019095024.tif 000014
【図８−３】
2019095024.tif 000015
【手続補正書】
【提出日】平成29年12月26日(2017.12.26)
【手続補正１】
【補正対象書類名】明細書
【補正対象項目名】００１５
【補正方法】変更
【補正の内容】
【００１５】
図７−１に第三実施例の第一・第二の部品１・２を示す。この実施例では第一の部品１に斜面カバー６が設けられている。斜面カバー６は第一・第二の斜面１Ａ・２Ａの相対回転により、両斜面１Ａ・２Ａの間にできる間隙Ｓを覆うものである。これにより両部品１・２が自重等で近接方向に向かうとき、指や衣服等が間隙Ｓに挟まれるのを防止している。
斜面カバー６は第二の部品２に設けても良い。図７−２はこの場合の斜面カバー６の断面を示す図である。カバー内部に第二の斜面２Ａが一体に形成されている。
【手続補正２】
【補正対象書類名】図面
【補正対象項目名】図７−１
【補正方法】変更
【補正の内容】
【図７−１】
2019095024.tif 000016
【手続補正３】
【補正対象書類名】図面
【補正対象項目名】図７−２
【補正方法】変更
【補正の内容】
【図７−２】
2019095024.tif 000017
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
パイプ組立ドア等に使用され軸パイプにスライド可能かつ回転可能に挿入された複数のパイプ継手のいずれか又は複数に協働する部品であって、前記軸パイプに対してスライド可能かつ回転可能に同軸的に外挿され、前記パイプ継手に対し相対的に回動不能とされた第一の部品と、前記軸パイプに実質的に回転・スライド不可能で前記第一の部品に対向して前記軸パイプに外挿される第二の部品からなり、
前記第一の部品は前記軸パイプの軸線に対して傾斜する第一の斜面を少なくとも一つ有し、前記第二の部品の前記第一の部品に対向する面は前記第一の斜面と略双補形状をなす第二の斜面とされており、
前記第一の部品は前記第一の斜面の反対側にセレーション又は凹凸を有し、前記パイプ継手のセレーション又は凹凸と嵌合することにより、前記第一の部品と前記パイプ継手の固定が行われ、
かつ前記第一の部品又は前記第二の部品の一方は付勢手段によって前記第一の部品又は前記第二の部品の他方に押圧されるパイプ組立ドア用部品。
【請求項２】
前記第二の部品において前記斜面を有する部分と前記軸パイプに固定される部分が別部品とされ、両部品は互いにセレーション又は凹凸が嵌合することにより固定され、取り付け後の位相角度調整を簡便にした請求項１に記載のパイプ組立ドア用部品。
【請求項３】
前記第一の部品又は前記第二の部品は、前記第一の斜面および第二の斜面を覆い第一の部品と第二の部品間に指などを挟まれるのを防止するカバー部を有することを特徴とする請求項１または請求項２に記載のパイプ組立ドア用部品。
【手続補正２】
【補正対象書類名】明細書
【補正対象項目名】０００９
【補正方法】変更
【補正の内容】
【０００９】
図１は本発明を応用し、ベビーゲート（ペットゲート）としてスィングドアを組み立てた例である。
本実施例では壁面に固定された軸パイプ５に回転可能なドア１１が取り付けられている。軸パイプ５の２ヶ所には図２に示すように固定部品４が回動・スライド不能に固定されている。
固定部品４の上部には第二の部品２がその下部が固定部品４の上部凹凸とかみ合うように軸パイプ５に挿入され、このかみ合いと重力により実質的に軸パイプ５に対して、回動・スライド不能に配置されている。
ドアの一部であるパイプ継手３がスライド・回動可能に軸パイプ５に挿入されており、パイプ継手３と第二の部品２との間には、第一の部品１がパイプに対し回動・スライド可能に挿入されている。第一の部品１の上部とパイプ継手３の下部は凹凸の係合によりかみ合い、パイプ継手３に対し第一の部品１は相対的に回動不能とされている。
これにより軸パイプ５に対してスライド・回動不能な第二の部品２とスライド・回動可能な第一の部品１が対向して配置される。第一の部品１と第二の部品２は互いに略相補的なＶ型斜面１Ａ・２Ａを二つづつ有する。
なお図１には第一・第二の部品１・２と固定部品４が部品セット１０として現わされている。
ドア１１を閉じた状態（第一・第二の斜面１Ａ・２Ａが当接した状態）から、ドア１１を開ける（回動させる）と第一の部品１はドア１１とともに上方にスライドする。その状態でドア１１を放すとドア１１の重力により第一の部品１は第二の部品２に押圧される。この時斜面１Ａは斜面２Ａ上を摺動し第一の部品１はドア１１とともに回動しながら下方にスライドする。これによりドア１１は閉じた状態に戻る。
図２においてパイプ継手３は樹脂製継手が図示されているが、金属製回転継手を第一・第二の部品１・２と固定可能にした、あるいは一体化したものを適用しても良い。
【手続補正３】
【補正対象書類名】明細書
【補正対象項目名】００１３
【補正方法】変更
【補正の内容】
【００１３】
図５は本発明をイベント会場等に使用される一方通行の回転ドアに適用した第二実施例を示す。
回転ドア１１は軸パイプ５の周囲に４つの四角状のパイプ組立体を、上下２段に十字状に固定したものである。固定パイプ組立体１２はフェンスとして床面に固定されており、その前端に３つのパイプ継手３が固定されており、軸パイプ５はこの３つのパイプ継手３に回動・スライド可能に挿入されている。
第二実施例では第一実施例の部品セット１０が第一実施例とは逆順に配置されている。すなわち下から第一の部品１、第二の部品２、固定部品４が配置されている。
第二実施例に使用した第一・第二の部品１・２の斜面１Ｄ・２Ｄの展開図を図６に示す。第一実施例では第一・第二の部品１・２端面を等しい山形の斜面１Ａ・２Ａ各２面で構成したが本実施例では各４面で構成している。更に各斜面１Ｄ・２Ｄには逆転防止面１Ｄ１・２Ｄ１が設けられている。
本実施例の動作を以下に説明する。
ドア１１がイベントの退場者により初期状態（回転角０°）から回転させられるとドア１１と一体になった軸パイプ５、固定部品４、第二の部品２も回転しつつ斜面１Ｄにより上方に持ち上げられる。４５°を越えて回転すると、自重により自ら斜面１Ｄを下りながら回転し９０°の位置で停止する。そしてこの位置では逆転防止面１Ｄ１・２Ｄ１が互いに係合し逆転を防止する。従って一旦退場した者が不正に再入場することを防止できる。